(57)【要約】【課題】挟持部の幅を狭く形成しても挟持部の強度が高い手工具を提供する。【解決手段】一対の把持部５と、一対の把持部５に連動して軸部４を中心として揺動する一対の挟持部６とを備える手工具１であって、一対の挟持部６は、互いに対向し合う側には軸部４の延在方向Ｊに凹む薄肉部１０をそれぞれ有し、互いに対向し合う側とは反対側には薄肉部１０よりも肉厚の背側補強部１１を有し、薄肉部１０は、軸部４の側の起点ａから先端ｂまで延びる刃部１０Ａを形成し、薄肉部１０の起点ａと軸部４との間に延在し、薄肉部１０の起点ａの側である第１延在範囲Ｅ１に設けられ、背側補強部１１の最大厚みｔ１以上の所定厚みｔ２へと徐々に厚みが増加する第１補強部１２と、軸部４の側である第２延在範囲Ｅ２に設けられ、所定厚みｔ２を有する第２補強部１３とを有する。【選択図】図１
0003226210.tif 000002
【実用新案登録請求の範囲】
【請求項１】
一対の把持部と、一対の前記把持部に連動して軸部を中心として揺動する一対の挟持部とを備える手工具であって、
一対の前記挟持部は、互いに対向し合う側には前記軸部の延在方向に凹む薄肉部をそれぞれ有し、互いに対向し合う側とは反対側には前記薄肉部よりも肉厚の背側補強部を有し、
前記薄肉部は、前記軸部の側の起点から先端までの刃部を形成し、
前記薄肉部の起点と前記軸部との間に延在し、前記薄肉部の前記起点の側である第１延在範囲に設けられ、前記背側補強部の最大厚み以上の所定厚みへと徐々に厚みが増加する第１補強部と、前記軸部の側である第２延在範囲に設けられ、前記所定厚みを有する第２補強部とを有することを特徴とする手工具。
【請求項２】
一対の前記挟持部は、前記軸部の延在方向の平面視で、全体二等辺三角形に形成されていることを特徴とする請求項１に記載の手工具。
【請求項３】
前記各挟持部は、前記軸部の延在方向に対して直角方向の側面視で、先端に向かって徐々に細く形成されていることを特徴とする請求項１又は請求項２に記載の手工具。
【請求項４】
前記第１補強部の上面は、前記軸部の延在方向に対して直角方向の側面視で、アール形状に形成されており、前記アール形状の半径は、前記挟持部の上面全体をアール形状にした場合におけるアール形状の半径よりも小さいことを特徴とする請求項１から請求項３のいずれか１項に記載の手工具。
【考案の詳細な説明】
【技術分野】
【０００１】
本考案は、ケーブル、巻き爪、硬い爪などを切断する手工具に関する。
【背景技術】
【０００２】
ケーブル、巻き爪、硬い爪などを切断する手工具が提案されている（特許文献１参照）。この手工具の一例として、一対の把持部と、一対の把持部に連動して軸部を中心として揺動する一対の挟持部とを備えるものがある。図３に示すように、軸部２４より先端側の一対の挟持部２６は、それぞれ刃部２６Ａを有する。各刃部２６Ａは、挟持部２６の互いに対向する側とは反対側の端面より互いに対向する側に向かって徐々に厚みが薄く形成されている。
【先行技術文献】
【特許文献】
【０００３】
【特許文献１】実開平５−５６０６２号公報
【考案の概要】
【考案が解決しようとする課題】
【０００４】
ところで、刃部２６Ａの幅が広いと細く奥まったところにあるものを切断できないため、挟持部２６の幅が狭い手工具の要請がある。しかし、単に刃部２６Ａの幅Ｗを細くすると、刃部２６Ａが互いに対向する側に向かって徐々に厚みを薄く形成する構成であるため、挟持部２６の強度が不足するという問題がある。
【０００５】
そこで、本考案は、このような従来の手工具における問題点に鑑みてなされたものであり、挟持部の幅を狭く形成しても挟持部の強度が高い手工具を提供することを目的とする。
【課題を解決するための手段】
【０００６】
上記の目的を達成するため、本考案は、一対の把持部と、一対の前記把持部に連動して軸部を中心として揺動する一対の挟持部とを備える手工具であって、一対の前記挟持部は、互いに対向し合う側には前記軸部の延在方向に凹む薄肉部をそれぞれ有し、互いに対向し合う側とは反対側には前記薄肉部よりも肉厚の背側補強部を有し、前記薄肉部は、前記軸部の側の起点から先端までの刃部を形成し、前記薄肉部の起点と前記軸部との間に延在し、前記薄肉部の前記起点の側である第１延在範囲に設けられ、前記背側補強部の最大厚み以上の所定厚みへと徐々に厚みが増加する第１補強部と、前記軸部の側である第２延在範囲に設けられ、前記所定厚みを有する第２補強部とを有することを特徴とする手工具を提供する。
【０００７】
一対の前記挟持部は、前記軸部の延在方向の平面視で、全体二等辺三角形に形成されていることが好ましい。
【０００８】
前記各挟持部は、前記軸部の延在方向に対して直角方向の側面視で、先端に向かって徐々に細く形成されていることが好ましい。
【０００９】
前記第１補強部の上面は、前記軸部の延在方向に対して直角方向の側面視で、アール形状に形成されており、前記アール形状の半径は、前記挟持部の上面全体をアール形状にした場合におけるアール形状の半径よりも小さいことが好ましい。
【考案の効果】
【００１０】
一つ側面では本考案にかかる手工具においては、挟持部の幅を狭く形成しても挟持部の強度が高い手工具を提供できる。
【図面の簡単な説明】
【００１１】
【図１】（ａ）は手工具の全体斜視図、（ｂ）は（ａ）のＢ部拡大図である。
【図２】（ａ）は手工具の背面図、（ｂ）は手工具の平面図、（ｃ）は手工具の正面図、（ｄ）は手工具の前面図である。
【図３】従来例の手工具の要部斜視図である。
【考案を実施するための形態】
【００１２】
以下、図面を参照しながら本考案の手工具の実施形態を詳細に説明する。
図１及び図２において、図面の寸法比率は説明の都合上誇張されており、実際の比率と異なる場合がある。
【００１３】
本実施形態にかかる手工具１は、互いに交差し、交差箇所が軸部４で支持された一対のアーム部材２を有する。一対のアーム部材２は、軸部４よりも一方側に位置する一対の把持部５と、軸部４よりも他方側に位置する一対の挟持部６とを有する。
【００１４】
一対の把持部５は、作業者が把持する部位である。作業者が一対の把持部５の互いの間隔を可変すると、軸部４を中心として一対の挟持部６が離接方向に変移する。一対の把持部５を狭まる方向に変移すると、一対の挟持部６間も狭まる方向に変移し、最終的には一対の挟持部６の互いに対向する内面同士が当接する位置まで変移可能となっている。
【００１５】
一対の挟持部６は、被切断物（図示せず）を切断する部位である。一対の挟持部６は、互いに対向し合う側には軸部４の延在方向Ｊに凹む薄肉部１０をそれぞれ有し、互いに対向し合う側とは反対側には薄肉部１０よりも肉厚の背側補強部１１を有する。薄肉部１０は、軸部４の側の起点ａから先端ｂにまで延びる刃部１０Ａを形成している。刃部１０Ａは、互いに対向し合う先端が刃先であり、下記する第１補強部１２との境界位置が起点ａとされ、従来例よりも起点ａが挟持部６の先端側に位置している。
【００１６】
一対の挟持部６は、薄肉部１０の起点ａと軸部４との間に延在する部位を有し、薄肉部１０の起点ａの側である第１延在範囲Ｅ１には、背側補強部１１の最大厚みｔ１以上の所定厚みｔ２へと徐々に厚みが増加する第１補強部１２が設けられている。軸部４の側である第２延在範囲Ｅ２には、所定厚みｔ２を有する第２補強部１３が設けられている。
【００１７】
図２（ｂ）、図１（ｂ）を参照する。一対の挟持部６は、軸部４の延在方向Ｊの平面視で、Ｋ軸を対象として全体二等辺三角形に形成されている。
【００１８】
図２（ｃ）、図１（ｂ）を参照する。各挟持部６は、軸部４の延在方向Ｊに対して直角方向の側面視で、先端に向かって徐々に細く形成されている。
【００１９】
第１補強部１２の上面は、軸部４の延在方向Ｊに対して直角方向の側面視で、アール形状に形成されている（図２（ｃ）、図１（ｂ）参照）。アール形状の半径は、挟持部６の上面全体をアール形状にした場合におけるアール形状の半径よりも小さい。
【００２０】
以上説明したように、本実施形態に係る手工具１は、一対の把持部５と、一対の把持部５に連動して軸部４を中心として揺動する一対の挟持部６とを備えており、一対の挟持部６は、互いに対向し合う側には軸部４の延在方向Ｊに凹む薄肉部１０をそれぞれ有し、互いに対向し合う側とは反対側には薄肉部１０よりも肉厚の背側補強部１１を有し、薄肉部１０は、軸部４の側の起点ａから先端ｂまで延びる刃部１０Ａを形成し、薄肉部１０の起点ａと軸部４との間に延在し、薄肉部１０の起点ａの側である第１延在範囲Ｅ１に設けられ、背側補強部１１の最大厚みｔ１以上の所定厚みｔ２へと徐々に厚みが増加する第１補強部１２と、軸部４の側である第２延在範囲Ｅ２に設けられ、所定厚みｔ２を有する第２補強部１３とを有する。
【００２１】
したがって、一対の刃部１０Ａは、その背側が背側補強部１１で補強され、一対の刃部１０Ａと軸部４の間が第１補強部１２及び第２補強部１３で補強されているため、実施形態のように挟持部６の幅を細く形成しても強度が高い手工具１を提供できる。
【００２２】
一対の挟持部６は、軸部４の延在方向Ｊの平面視で、全体二等辺三角形に形成されている。したがって、一対の挟持部６を幅の狭い隙間にも容易に挿入でき、隙間の奥まったところに位置する被切断物（図示せず）を切断できる。
【００２３】
各挟持部６は、軸部４の延在方向Ｊに対して直角方向の側面視で、先端に向かって徐々に細く形成されている。したがって、一対の挟持部６を高さの低い隙間にも容易に挿入でき、隙間の奥まったところに位置する被切断物（図示せず）を切断できる。
【００２４】
第１補強部１２の上面は、軸部４の延在方向Ｊに対して直角方向の側面視で、アール形状に形成されている。したがって、一対の刃部１０Ａの長さよりも深い隙間にも極力スムーズに挿入でき、使い勝手が良い。
アール形状の半径は、挟持部６の上面全体をアール形状にした場合におけるアール形状の半径よりも小さい。これにより、第１補強部１２よりも強度アップに寄与する第２補強部１３の寸法を極力大きく取ることができるため、一対の挟持部６の強度向上を図ることができる。
【００２５】
以上、本実施形態を説明したが、本実施形態はこれらに限定されるものではなく、本実施形態の要旨の範囲内で種々の変更が可能である。
【符号の説明】
【００２６】
１  手工具
４  軸部
５  把持部
６  挟持部
１０  薄肉部
１０Ａ  刃部
１１  背側補強部
１２  第１補強部
１３  第２補強部
Ｅ１  第１延在範囲
Ｅ２  第２延在範囲
【図１】
0003226210.tif 000003
【図２】
0003226210.tif 000004
【図３】
0003226210.tif 000005